(57)【要約】【課題】搬送ベルトの長手方向基端部並びに先端部において該搬送ベルトが平板状となる箇所での専有面積を抑えることができ、スペースを有効活用し得、又、パイプ部の途中でもトリッパ等の装置を設けることなく被搬送物を排出することができ、設計上の自由度を高め得る二枚ベルト式パイプコンベヤを提供する。【解決手段】二枚の無端状の搬送ベルト１Ａ，１Ｂを左右対称に循環するよう並設し、搬送ベルト１Ａ，１Ｂの長手方向基端側に、搬送ベルト１Ａ，１Ｂの下縁部を重ね合わせ且つ上部を開放させて被搬送物を受ける荷受部１１を形成し、搬送ベルト１Ａ，１Ｂの長手方向中間部に、搬送ベルト１Ａ，１Ｂの上下縁部を重ね合わせてパイプ状とするパイプ部１２を形成し、搬送ベルト１Ａ，１Ｂの長手方向先端側に、搬送ベルト１Ａ，１Ｂの上下部を開放させて被搬送物を排出する荷排出部１３を形成する。【選択図】　　　　図１
2004075232.tif 000002
【特許請求の範囲】
【請求項１】
二枚の無端状の搬送ベルトを左右対称に循環するよう並設し、
該左右対称に並設した搬送ベルトの長手方向基端側に、左右の搬送ベルトの下縁部を重ね合わせ且つ上部を開放させて被搬送物を受ける荷受部を形成し、
前記左右対称に並設した搬送ベルトの長手方向中間部に、左右の搬送ベルトの上下縁部を重ね合わせてパイプ状とするパイプ部を形成し、
前記左右対称に並設した搬送ベルトの長手方向先端側に、左右の搬送ベルトの上下部を開放させて被搬送物を排出する荷排出部を形成したことを特徴とする二枚ベルト式パイプコンベヤ。
【請求項２】
パイプ部途中に、左右の搬送ベルトの下部を開放させて被搬送物を排出する荷中途排出部を形成した請求項１記載の二枚ベルト式パイプコンベヤ。
【発明の詳細な説明】
【０００１】
【発明の属する技術分野】
本発明は、二枚ベルト式パイプコンベヤに関するものである。
【０００２】
【従来の技術】
従来より、無端状の搬送ベルトを案内部材によってパイプ状に丸め、該パイプ状に丸めた搬送ベルトの内部に石炭等の被搬送物を入れて搬送するよう構成されたパイプコンベヤが知られている。
【０００３】
図６〜図９は従来のパイプコンベヤの一例を表わすものであって、搬送ベルト１は、図６に示される如く、前方に配置されたプーリ２と後方に配置されたプーリ３との間に無端状に掛け回され、図示していない駆動装置で前方のプーリ２が回転駆動されることにより矢印方向に循環し、上段側の往路及び下段側の帰路における各々の大部分においては、搬送ベルト１の幅方向両側縁部１ａを、案内部材としての案内枠４によって近接させ最終的に重合させてパイプ状に丸め、そのパイプ状の状態をパネルフレーム７によって維持するようにしたパイプ部５が形成されている。
【０００４】
前記往路側のパイプ部５の上流側には、図６及び図７に示される如く、石炭等の被搬送物を搬送ベルト１上へ投下するシュート又はホッパ６が設置されており、又、前方のプーリ２の近傍には、搬送ベルト１によって搬送された被搬送物を受ける荷受シュート１０が設置されている。
【０００５】
前記案内枠４は、後方に配置されたプーリ３とパイプ部５との間、及びパイプ部５と前方に配置されたプーリ２との間に各々複数（図の例では、案内枠４ａ，４ｂとして前後二箇所ずつ）設けられている。該案内枠４は、パイプ部５における搬送ベルト１の走行方向に対し直交して設けられ、図８に示される如く、上下二段に区画され、上段と下段には、搬送ベルト１の外面に接して回転する案内ローラ８が各々搬送ベルト１の幅方向に沿って複数（図の例では、三個）ずつ設けられている。これらの案内ローラ８は、搬送ベルト１を平板状からパイプ状へ変化させる移行領域では該搬送ベルト１を次第に丸めるように、又、搬送ベルト１をパイプ状から平板状に変化させる移行領域では搬送ベルト１を次第に展開するように、その配置がなされている。具体的には、三個の案内ローラ８は、パイプ部５における搬送ベルト１の走行方向（長手方向）に対して直交する平面上にその軸線が位置するように配置され、上段側では上方に開口する皿形若しくはＵ字形に、下段側では上段側と上下対称形に配置されている。従って、後方に配置されたプーリ３側の案内枠４においては、上段側の案内ローラ８は搬送ベルト１を丸めるように案内し、下段側の案内ローラ８は搬送ベルト１を展開するように案内する。同様に前方に配置されたプーリ２側の案内枠４においては、上段側の案内ローラ８は搬送ベルト１を展開するように、下段側の案内ローラ８は搬送ベルト１を丸めるように案内する。
【０００６】
又、前記パネルフレーム７も、パイプ部５における搬送ベルト１の走行方向と直交して設けられ、図９に示される如く、上下二段に区画されて、各々複数（図の例では、六個）の保形ローラ９が環状に配置されている。即ち、該保形ローラ９もその軸線が搬送ベルト１の走行方向に直交する平面上に位置するように配置されている。そして、環状に配置された複数の保形ローラ９の内側を搬送ベルト１が通過することによって、保形ローラ９が搬送ベルト１の外面に接して回転し、搬送ベルト１の展開を防止して搬送ベルト１のパイプ状の状態を維持する。
【０００７】
前述の如きパイプコンベヤにおいては、後方に配置されたプーリ３に沿い下方から上方へ回送された搬送ベルト１は、平板状からパイプ状への移行領域において二個の案内枠４ａ，４ｂの上段を通過することによって段階的にパイプ状に丸められ、丸められる間に図７に示される如くホッパ６から投下された被搬送物を内側に包み込む。そして、パイプ部５においては、複数のパネルフレーム７の上段を通過することでその形状が維持され、パイプ状から平板状への移行領域において、二個の案内枠４ａ，４ｂの上段を通過することによって段階的に平板状へと展開され、前方に配置されたプーリ２に沿い上方から下方へ回送されつつ被搬送物を荷受シュート１０に投入し、その後、二個の案内枠４ａ，４ｂの下段を通過することで再びパイプ状に丸められ、各パネルフレーム７の下段を通過した後、二個の案内枠４ａ，４ｂの下段を通って段階的に展開されて後方に配置されたプーリ３に至って循環する。
【０００８】
これにより、石炭等の被搬送物を、その粉塵等を飛散させることなく確実に搬送でき、又、帰路においても、搬送ベルト１に付着した被搬送物の細粒等が落下する心配もない。
【０００９】
【発明が解決しようとする課題】
しかしながら、前述の如きパイプコンベヤにおいては、一枚の搬送ベルト１の両幅端部を上方へ丸め、重ね合わせてパイプ状とする関係上、搬送ベルト１の幅寸法はかなり長くなっているため、搬送ベルト１の長手方向基端部並びに先端部において該搬送ベルト１が平板状となる箇所では、専有面積が広がってスペースを確保する必要があった。
【００１０】
又、パイプ部５の途中では、トリッパ等の装置を設けない限り、被搬送物を排出することができず、設計上の自由度が低いという欠点を有していた。
【００１１】
本発明は、斯かる実情に鑑み、搬送ベルトの長手方向基端部並びに先端部において該搬送ベルトが平板状となる箇所での専有面積を抑えることができ、スペースを有効活用し得、又、パイプ部の途中でもトリッパ等の装置を設けることなく被搬送物を排出することができ、設計上の自由度を高め得る二枚ベルト式パイプコンベヤを提供しようとするものである。
【００１２】
【課題を解決するための手段】
本発明は、二枚の無端状の搬送ベルトを左右対称に循環するよう並設し、
該左右対称に並設した搬送ベルトの長手方向基端側に、左右の搬送ベルトの下縁部を重ね合わせ且つ上部を開放させて被搬送物を受ける荷受部を形成し、
前記左右対称に並設した搬送ベルトの長手方向中間部に、左右の搬送ベルトの上下縁部を重ね合わせてパイプ状とするパイプ部を形成し、
前記左右対称に並設した搬送ベルトの長手方向先端側に、左右の搬送ベルトの上下部を開放させて被搬送物を排出する荷排出部を形成したことを特徴とする二枚ベルト式パイプコンベヤにかかるものである。
【００１３】
上記手段によれば、以下のような作用が得られる。
【００１４】
荷受部においては、左右の搬送ベルトの下縁部が重ね合わされ且つ上部が開放された状態で被搬送物が投下され、パイプ部においては、左右の搬送ベルトの上下縁部が重ね合わされてパイプ状とされ、その内側に被搬送物が包み込まれた状態で搬送が行われ、荷排出部においては、左右の搬送ベルトの上下部が開放されて被搬送物が排出される。
【００１５】
この結果、従来のパイプコンベヤのように、一枚の搬送ベルトの両幅端部を上方へ丸めて重ね合わせるのではなく、左右二枚の搬送ベルトの上下縁部を重ね合わせてパイプ状とするため、一枚の搬送ベルトの幅寸法は従来の略半分となり、しかも、横ではなく縦方向へ延びる形となることから、搬送ベルトの長手方向基端部並びに先端部において該搬送ベルトが平板状となる箇所では、専有面積が広がらず、スペースを有効に活用することが可能となる。
【００１６】
前記二枚ベルト式パイプコンベヤにおいては、パイプ部途中に、左右の搬送ベルトの下部を開放させて被搬送物を排出する荷中途排出部を形成することができ、このようにすると、パイプ部の途中にトリッパ等の装置を設けなくても、荷中途排出部から被搬送物を排出することが可能となり、設計上の自由度が高まる。
【００１７】
【発明の実施の形態】
以下、本発明の実施の形態を図示例と共に説明する。
【００１８】
図１〜図４は本発明を実施する形態の一例であって、図中、図６〜図９と同一の符号を付した部分は同一物を表わしており、二枚の無端状の搬送ベルト１Ａ，１Ｂを左右対称に循環するよう並設し、該左右対称に並設した搬送ベルト１Ａ，１Ｂの長手方向基端側に、左右の搬送ベルト１Ａ，１Ｂの下縁部を重ね合わせ且つ上部を開放させて被搬送物を受ける荷受部１１を形成し、前記左右対称に並設した搬送ベルト１Ａ，１Ｂの長手方向中間部に、左右の搬送ベルト１Ａ，１Ｂの上下縁部を重ね合わせてパイプ状とするパイプ部１２を形成し、前記左右対称に並設した搬送ベルト１Ａ，１Ｂの長手方向先端側に、左右の搬送ベルト１Ａ，１Ｂの上下部を開放させて被搬送物を排出する荷排出部１３を形成したものである。
【００１９】
前記搬送ベルト１Ａは、図１に示す如く、回転中心が上下方向ヘ延びるよう所要間隔をあけて配設されたプーリ２Ａ，３Ａ間に無端状に掛け回すと共に、前記搬送ベルト１Ｂは、図１に示す如く、回転中心が上下方向ヘ延びるよう所要間隔をあけて配設されたプーリ２Ｂ，３Ｂ間に無端状に掛け回すようにしてある。
【００２０】
前記荷受部１１における左右の搬送ベルト１Ａ，１Ｂは、図２に示す如く、複数（図の例では、７個）のローラ１４により、下縁部が重ね合わされ且つ上部が開放されて被搬送物を受けることのできる断面形状に保持されるようにしてある。
【００２１】
又、前記パイプ部１２における左右の搬送ベルト１Ａ，１Ｂは、図３に示す如く、複数（図の例では、六個）のローラ１４により、上下縁部が重ね合わされてパイプ状となり被搬送物を包み込むことのできる断面形状に保持されるようにしてある。
【００２２】
更に又、前記荷排出部１３における左右の搬送ベルト１Ａ，１Ｂは、図４に示す如く、ローラ等による拘束をせずに、略平行に配設されるようにすることにより、上下部が開放されて被搬送物を排出することのできる断面形状となるようにしてある。
【００２３】
一方、帰路側における前記左右の搬送ベルト１Ａ，１Ｂは、図２、図３、図４に示す如く、それぞれの幅方向両側縁部を重合させてパイプ状に丸め、そのパイプ状の状態をローラ１５によって維持するようにしてある。
【００２４】
次に、上記図示例の作用を説明する。
【００２５】
荷受部１１においては、左右の搬送ベルト１Ａ，１Ｂの下縁部が重ね合わされ且つ上部が開放された状態で被搬送物が投下され、パイプ部１２においては、左右の搬送ベルト１Ａ，１Ｂの上下縁部が重ね合わされてパイプ状とされ、その内側に被搬送物が包み込まれた状態で搬送が行われ、荷排出部１３においては、左右の搬送ベルト１Ａ，１Ｂの上下部が開放されて被搬送物が排出される。
【００２６】
この結果、従来のパイプコンベヤのように、一枚の搬送ベルト１の両幅端部を上方へ丸めて重ね合わせるのではなく、左右二枚の搬送ベルト１Ａ，１Ｂの上下縁部を重ね合わせてパイプ状とするため、一枚の搬送ベルト１Ａ（１Ｂ）の幅寸法は従来の略半分となり、しかも、横ではなく縦方向へ延びる形となることから、搬送ベルト１Ａ，１Ｂの長手方向基端部並びに先端部において該搬送ベルト１Ａ，１Ｂが平板状となる箇所では、専有面積が広がらず、スペースを有効に活用することが可能となる。
【００２７】
尚、帰路において、左右の搬送ベルト１Ａ，１Ｂは、図２、図３、図４に示す如く、それぞれの幅方向両側縁部が重合されてパイプ状に丸められた状態で戻されるため、搬送ベルト１Ａ，１Ｂに付着した被搬送物の細粒等が落下する心配もない。
【００２８】
又、本図示例においては、前記パイプ部１２途中の任意の箇所に、図５に示す如く、左右の搬送ベルト１Ａ，１Ｂの下部を開放させて被搬送物を排出する荷中途排出部１６を形成することができ、このようにすると、パイプ部１２の途中にトリッパ等の装置を設けなくても、荷中途排出部１６から被搬送物を排出することが可能となり、設計上の自由度が高まる。
【００２９】
こうして、搬送ベルト１Ａ，１Ｂの長手方向基端部並びに先端部において該搬送ベルト１Ａ，１Ｂが平板状となる箇所での専有面積を抑えることができ、スペースを有効活用し得、又、パイプ部１２の途中でもトリッパ等の装置を設けることなく被搬送物を排出することができ、設計上の自由度を高め得る。
【００３０】
尚、本発明の二枚ベルト式パイプコンベヤは、上述の図示例にのみ限定されるものではなく、本発明の要旨を逸脱しない範囲内において種々変更を加え得ることは勿論である。
【００３１】
【発明の効果】
以上、説明したように本発明の請求項１記載の二枚ベルト式パイプコンベヤによれば、搬送ベルトの長手方向基端部並びに先端部において該搬送ベルトが平板状となる箇所での専有面積を抑えることができ、スペースを有効活用し得るという優れた効果を奏し得、又、本発明の請求項２記載の二枚ベルト式パイプコンベヤによれば、上記効果に加え更に、パイプ部の途中でもトリッパ等の装置を設けることなく被搬送物を排出することができ、設計上の自由度を高め得るという優れた効果を奏し得る。
【図面の簡単な説明】
【図１】本発明を実施する形態の一例の平面図である。
【図２】本発明を実施する形態の一例における荷受部の正断面図であって、図１のＩＩ−ＩＩ断面相当図である。
【図３】本発明を実施する形態の一例におけるパイプ部の正断面図であって、図１のＩＩＩ−ＩＩＩ断面相当図である。
【図４】本発明を実施する形態の一例における荷排出部の正断面図であって、図１のＩＶ−ＩＶ断面相当図である。
【図５】本発明を実施する形態の一例において、荷中途排出部を形成した場合を表わす正断面図である。
【図６】従来のパイプコンベヤの一例を示す側面図である。
【図７】図６のＶＩＩ−ＶＩＩ矢視図である。
【図８】図６のＶＩＩＩ−ＶＩＩＩ矢視図である。
【図９】図６のＩＸ−ＩＸ矢視図である。
【符号の説明】
１Ａ　　　　搬送ベルト
１Ｂ　　　　搬送ベルト
１１　　　　荷受部
１２　　　　パイプ部
１３　　　　荷排出部
１６　　　　荷中途排出部
【図１】
2004075232.tif 000003
【図２】
2004075232.tif 000004
【図３】
2004075232.tif 000005
【図４】
2004075232.tif 000006
【図５】
2004075232.tif 000007
【図６】
2004075232.tif 000008
【図７】
2004075232.tif 000009
【図８】
2004075232.tif 000010
【図９】
2004075232.tif 000011